(57)【要約】【課題】  落とし込み接続できると共に、安定した仮固定ができるラックを提供する。【解決手段】  基板３０に折り曲げ片３１、３２を有した弾性部材からなり、互いに向かい合ってなる一組の親桁３と、親桁３の折り曲げ片３２間に複数架設される子桁５とを備えて略梯子状からなり、親桁３の一端３４の折り曲げ片３２上に、他のラック４の他端４４の下端部が載置されて、一端３４の親桁３間に他のラック２の他端４４を挟持してラック同士を接続する。親桁３は、基板３０表面にラックの長手方向と平行に形成された凸条３３と、折り曲げ片３１を切り欠いて形成された親桁導入部３１０とを備える一方、他のラック２は凸条３３に嵌合する凹条４３を備え、凸条３３及び凹条４３は、親桁導入部３１０から他のラック２を挿入する際に、親桁３の短手方向から嵌合可能な高さに形成される。【選択図】図１
2006050796.tif 000002
【特許請求の範囲】
【請求項１】
長尺板状からなる基板の上下端部に折り曲げ片を有して断面視略コ字状の弾性部材からなり、互いに対称となる向きに向かい合ってなる一組の親桁と、それら親桁の下端部の折り曲げ片間に複数架設される子桁とを備え、当該親桁の一端の下端部における折り曲げ片上に、他のラックの長手方向における他端の下端部が載置されて、前記一端の親桁間に当該他のラックの他端を挟持して当該ラック同士を接続するラックにおいて、前記親桁は、当該基板表面に当該ラックの長手方向と平行に形成された凸条と、長手方向の一端部近傍における上端部の折り曲げ片を切り欠いて形成された親桁導入部とを備える一方、前記他のラックは前記凸条に嵌合する凹条を備え、前記凸条及び凹条は、親桁導入部から他のラックを挿入する際に、親桁の短手方向から嵌合可能な高さに形成されていることを特徴とするラック。
【発明の詳細な説明】
【技術分野】
【０００１】
本発明は、ビルや工場等の施設内に、ケーブルや冷媒管等の配線、配管を行う際に使用するラックに関するものである。
【背景技術】
【０００２】
従来から、長尺状の親桁とその親桁に所定間隔毎に架設される子桁とから略梯子状に構成されてなるラックを、コンクリートスラブ等から垂設された吊りボルトに対し、吊り金具を用いて取り付けられた略短尺棒状のハンガー上に載置して固定したり、当該吊りボルトと接続される親桁ハンガーによって直接吊り下げ支持したりすることで敷設し、当該ラックの子桁上にケーブルや冷媒管等を載置することによって、当該施設内におけるケーブル等を整然と配線等することが行われている。配線等する場合、一つ一つのラックの大きさには当然限りがあるため、ケーブル等の長さに応じて当該ラックを延設することが必要となるが、その際には、一般的に親桁の端部同士を突き合わせて、それぞれの端部近傍を外側から覆うように係当する接続金具が用いられる。
【０００３】
この接続金具には、ボルト挿通孔が穿設されており、この挿通孔と、親桁の端部近傍に穿設されたボルト挿通孔とにボルトを通して、ナットを螺合させて締め付けることにより、相互のラックを接続することができるが、上述したように、ラックはコンクリートスラブ等から垂設された吊りボルトに懸吊されることになるため、ラックの接続作業は否応なく高所での作業となり危険を伴うことになる。従って、作業者の安全を確保するためにも、ラックの接続の際には、部品点数をできるだけ少なくして、より簡易な作業とすることが望まれる。そこで、かかる課題を解決するために、当該ラックに接続金具の機能を持たせることが知られている（例えば、特許文献１を参照）。
【０００４】
この接続金具の機能を持たせたラックは、一例として、図６の相互に接続される親桁端部を示す斜視図の通り、親桁３ｂ、４ｂは、基板３０、４０の上下端部にそれぞれ折り曲げ片３１、３２、４１、４２を有して断面視略コ字状からなり、当該コ字の内側における基板３０、４０の表面に凸条３３、凹条４３を備え、曲げ応力等に対する剛性を有している。ここで、当該ラックは、接続機能を持たせるために、一方の親桁３ｂの一端３４の近傍は、他方の親桁４ｂの一端４４の近傍を保持できるよう、一回り大きく構成されている。具体的に述べると、当該一端３４の近傍においては、少なくとも他方の折り曲げ片４１、４２の厚さ分の段差３１５、３２５を介して、折り曲げ片３１よりも上側並びに、折り曲げ片３２よりも下側に位置するよう、それぞれ折り曲げ片３１６、３２６が連接される。
【０００５】
また、親桁３ｂの基板３０と、その親桁３ｂに接続される親桁４ｂの基板４０、並びに凸条３３の上面と凹条４３の下面とが略面一となるように、一端３４の近傍における基板３０５、凸条３３５は、それぞれ基板３０、凸条３３よりも、少なくとも他方の基板４０、凹条４３を形成する板の厚さ分、外方（後述する螺子６の挿入方向）に位置するように構成されている。そして、親桁３ｂ、４ｂの凸条３３５、凹条４３には、対応する位置に螺子挿通孔３６、４６が穿設されており、親桁４ｂの一端４４を、親桁３ｂの一端３４に長手方向Ａから挿入して、当該親桁４ｂの一端４４の近傍を親桁３ｂにて保持し、当該孔を介して螺子６を挿通して、ナット７を螺合させることによって、接続金具を用いることなく、親桁３ｂと４ｂとを相互に接続することができるとされる。
【０００６】
しかしながら、このラックにおいては強固に接続することのみを追及し、接続の際の作業性の点はあまり考慮されていない。すなわち、ラックは長尺で重量が相当量あるにも係らず、親桁３ｂ、４ｂの両方を略水平になるようにしなければ、長手方向Ａから親桁３ｂに親桁４ｂの一端４４を挿入することができない。そこで、ラック間の接続強度については、螺子に負担させることとし、代わりに接続性を向上させたラックが知られている（例えば、特許文献２参照）。この接続性を向上させたラックは、一例として、図７の相互に接続される親桁端部を示す斜視図の通り、親桁３の一端３４近傍における上側の折り返し片３１が切除されて、親桁導入部３１０が形成されており、親桁４は長手方向Ａから親桁３に挿入することのみならず、短手方向Ｂ（垂直方向）から落とし込んで、親桁３に取り付けることもできるようになっている。
【０００７】
一方、上側の折り返し片３１が切除されているため、折り返し片３１、３２によって、例えば、親桁４の他端（一端４４とは反対側の端部）が、一端４４の高さよりも上下に移動するような動きを規制することはできない。このため、上述したラックよりも接続強度は脆弱となるが、その代わりに螺子の挿通孔３６、４６を増やすことで、ラック間の接続強度を確保したものである。
【特許文献１】特開昭５４−１５０６９５号公報
【特許文献２】実開昭５３−９３６９９号公報
【発明の開示】
【発明が解決しようとする課題】
【０００８】
ところで、この技術では、一方のラックを落とし込んで接続することも可能としたため、最初の技術で説明した凸条３３５や凹条４３が形成されていない（図６参照）。すなわち、親桁３に凸条があると、その凸条に、親桁４における下端部の折り曲げ片４２が接触してしまい、落とし込み動作を阻害することになるため、このラックにあっては、当該凹凸部が形成されていないのである。しかしながら、そうすると、螺子によって固定する前の仮固定の際には、ラックの上下方向の移動を規制する部分が存在しないため、ラックは高所で不安定な状態で仮置きされるという問題がある。特に親桁４の他端（一端４４とは反対側の端部）の位置が高くなったような場合には、当該親桁４の重量も相まって、親桁４の一端４４が親桁３の折り曲げ片３１と３２との間に入り込み、噛み付きを起こしたり、それを無理に外そうとして、当該折り曲げ片３１を変形させたりする恐れがあるという問題があった。
【０００９】
一方、最初に説明した技術（図６参照）には、凸条３３５や凹条４３が形成されているため、曲げ応力等に対する剛性を備えつつ、安定した状態で仮置きすることができるが、上述したように、親桁３ｂ、４ｂの両方を略水平になるようにしなければ、長手方向Ａから親桁３ｂに親桁４ｂの一端４４を挿入することができない。特に親桁３ｂ、４ｂに対応する親桁との距離が長い場合、すなわち幅があるラックの場合には、厳密に水平にしないと挿入は困難を極めるという問題があった。
【００１０】
本発明は、上記種々の問題点に鑑みてなされたものであり、その目的とするところは、落とし込みによっても接続することができると共に、安定した仮固定をすることができるラックを提供することにある。
【課題を解決するための手段】
【００１１】
上記課題を解決するために、本願の発明者らは、請求項１に係る発明として、長尺板状からなる基板の上下端部に折り曲げ片を有して断面視略コ字状の弾性部材からなり、互いに対称となる向きに向かい合ってなる一組の親桁と、それら親桁の下端部の折り曲げ片間に複数架設される子桁とを備え、当該親桁の一端の下端部における折り曲げ片上に、他のラックの長手方向における他端の下端部が載置されて、前記一端の親桁間に当該他のラックの他端を挟持して当該ラック同士を接続するラックにおいて、前記親桁は、当該基板表面に当該ラックの長手方向と平行に形成された凸条と、長手方向の一端部近傍における上端部の折り曲げ片を切り欠いて形成された親桁導入部とを備える一方、前記他のラックは前記凸条に嵌合する凹条を備え、前記凸条及び凹条は、親桁導入部から他のラックを挿入する際に、親桁の短手方向から嵌合可能な高さに形成されていることを特徴としたものを提案している。
【発明の効果】
【００１２】
そして、請求項１に係る発明では、親桁の基板表面に当該ラックの長手方向と平行に形成された凸条が設けられると共に、他のラックにもその凸条と嵌合する凹条が設けられているため、これらの部分によって、仮固定の際に、ラックの上下方向の移動を規制することができ、ラックを高所でも安定な状態で仮置きすることができる。ここで、かかる仮固定における安定性を選択した場合には、従来は落とし込みによる接続は諦めざるを得ず、両者はトレードオフの関係にあった。しかしながら、本発明における親桁は弾性部材であり、凸条及び凹条は、親桁導入部から他のラックを挿入する際に、親桁の短手方向から嵌合可能な高さに形成されているから、落とし込みの際に、当該他のラックに下方への押圧を加えることによって、親桁間が広がって、当該凸条及び凹条が嵌合させることができるのである。
【００１３】
すなわち、請求項１に係る発明では、親桁の挟持力（弾性力）を超える過度の力が加わらない限り、ラックの上下方向の移動を規制して、安定な状態で仮置きすることができると共に、仮置きの安定性のために凸条及び凹条が設けられていても、親桁の弾性力と相まって、それが親桁導入部から他のラックを挿入する際に、嵌合可能な高さに形成されているため、落とし込みによっても接続可能であるという効果を奏するものである。
【発明を実施するための最良の形態】
【００１４】
次に、上述の解決手段並びにその効果を踏まえて、本発明を実施するに当たって最良の実施の形態について以下に説明する。まず、相互に接続される親桁端部を示す斜視図である図１、並びにその要部拡大図である図２を参照して、本発明の特徴的な構成から説明すると、本発明に係る親桁３（親桁３ａ、３ｂ）は、基板３０の表面に当該ラック１の長手方向と平行に形成された凸条３３と、長手方向の一端部近傍における上端部の折り曲げ片３１を切り欠いて形成された親桁導入部３１０とを備えている。一方、他のラック２の親桁４（親桁４ａ、４ｂ）の基板４０の表面には、凸条３３と嵌合する凹条４３が備えられており、当該凸条３３及び凹条４３は、ラック１の親桁導入部３１０から、他のラック２を挿入する際に、親桁１の短手方向から嵌合可能な高さに形成されている。
【００１５】
ラック１、２を接続する際には、落とし込み又は、長手方向から挿入することで接続することができる。前者の場合には、図３（ａ）に示すように、ラック２の他端４４を、ラック１に設けられた親桁導入部３１０から挿入すると、当該ラック２の基板４０の側端部が、ラック１の凸条３３０の上端部と当接して係止する。この状態で当該他端４４の上端部を、下方、すなわちラック１の方向に向って押圧すると、基板４０の側端部が凸条３３０の上端部に設けられた傾斜面に沿って摺動し、徐々にラック１の親桁３（親桁３ａ、３ｂ）の間が広げられる。そして、図３（ｂ）に示すように、凸条３３と凹条４３とが嵌合し、ラック１の下端部における折り曲げ片３２上に、ラック２の長手方向における他端４４の下端部が載置されて、一端３４の親桁３ａ、３ｂ間に当該ラック２の他端４４が挟持される。尚、このとき、ラック２の他端４４が、ストッパ３１１と当接していない場合は、それが当接するまで長手方向にラック２を挿入するようにする。
【００１６】
一方、後者の場合には、当該ラック１の凸条３３と、ラック２の凹条４３が嵌合するように、ラック１の一端３４に対して、ラック２の他端４４を、ストッパ３１１と当接するまで挿入することで、同様にして、折り曲げ片３２上に、他端４４の下端部が載置されて、ラック１の一端３４の親桁３ａ、３ｂ間に当該ラック２が挟持される。そして、上述の何れの場合も、ラック２の他端４４が、ストッパ３１１に当接するように接続すると、ラック１に穿設された螺子挿通孔３６と、ラック２に穿設された螺子挿通孔４６とが同心になるので、これらの螺子挿通孔３６、４６に螺子６を挿入してナット７に螺合して締め付けることにより、ラック１と２の接続が強固に完了する。
【００１７】
次に、上述の各構成も含め、親桁３の断面図である図４も参照して、より詳細な構成について説明すると、次の通りである。図１乃至図４に示すように、本発明に係るラック１は、長尺板状からなる基板３０の上下端部に折り曲げ片３１、３２を有して断面視略コ字状をなしており、基板３０の略中央部分の表面には、内方（互いに相対する親桁３）に向かって、当該基板３０の表面と平行な面を有する凸条３３が折り曲げ形成され、当該凸条３３の上下端部には、基板３０に連接する傾斜部が設けられている。この傾斜部のうち、特に上端の傾斜は、ラック２を落とし込み接続したり、取り外したりするためのガイドとなるものである。次に、親桁３の長手方向の両端部に着目すると、親桁３の一端３４の近傍では、ラック１、２の接続強度が確保できる長さ分、上端部の折り曲げ片３１が切り欠かれて、親桁導入部３１０が形成されている。ここで、上述した接続強度が確保できる長さとは、例えば、ラック２の一端４５に何らかの応力が加わって、上下方向に移動しようとした場合であっても、当該ラック２の移動を規制するのに十分な長さ、すなわち曲げ応力に耐えうるだけの長さという意味である。
【００１８】
折り曲げ片３１の切り欠いた端面は、ラック２の他端４４と当接して、当該ラック２の挿入を規制するストッパ３１１を構成している。このストッパ３１１は、折り曲げ片３１と同一の長さとしても、もちろん良いものであるが、ラックの接続作業の際に、引っ掛けたりしないよう、折り曲げ片３１から傾斜部３１２を介して、当該折り曲げ片３１よりも幅を狭く構成するようにしても良い。また、親桁３の一端３４の近傍では、凸条３３０に螺子６を挿通する螺子挿通孔３６が２箇所に近接して穿設される一方、その反対側の他端３５の近傍においても、凸条３３に螺子を挿通する螺子挿通孔３７が２箇所に近接して穿設されている。ここで、凸条３３０は、凸条３３と同様にして、基板３０の表面と平行な面を有し、凸条３３と絞り部３３１を介して連接され、当該凸条３３よりも幅方向（短手方向）の長さが小さく形成されて、親桁４の凹条４３に挿入し易いようになっている。
【００１９】
次に、下端に着目すると、親桁３ａ、３ｂの下端部の折り曲げ片３２間には、所定の間隔毎に子桁５が架設されており、親桁３と子桁５とは溶接やカシメ等によって固定され、略梯子状からなっている。子桁５は短尺棒状の部材であって、長手方向の断面は、上方に開口を有する略コ字状の形状をしている。当該コ字の上端部分は、内方に向って垂直にそれぞれ折り曲げられており、当該棒状の中央部分に開口が形成されるよう、その折り曲げ片は当該子桁５の両側端部近傍にのみ形成されている。そして、子桁５には、図示しないセパレータ等が取り付けられ、当該セパレータは配線や冷媒管等の仕切りとして使用されて、ラック１、２上に、配線路や管路が形成されることになる。
【００２０】
次に、ラック２の構成について説明する。当該ラック２は、同様にして、長尺板状からなる基板４０の上下端部に折り曲げ片４１、４２を有して断面視略コ字状をなしている。基板４０の略中央部分の表面には、内方に向かって、当該基板４０の表面と平行な面を有する凹条４３が折り曲げ形成され、当該凹条４３の上下端部には、基板４０に連接する傾斜部が設けられている。次に、親桁４の長手方向の両端部に着目すると、親桁４の他端４４の近傍では、凹条４３に螺子６を挿通する螺子挿通孔４６が２箇所に近接して穿設される一方、その反対側の一端４５の近傍においても同様に穿設されている。次に、下端に着目すると、親桁４ａ、４ｂの下端部の折り曲げ片４２間には、所定の間隔毎に子桁５が架設されており、親桁４と子桁５とは溶接やカシメ等によって固定され、略梯子状からなっている。子桁５の構成は、親桁２の場合と同様であるから、ここでは説明を省略する。
【００２１】
ところで、ラック１、２の材料について着目すると、当該ラック１、２は、ケーブルや冷媒管等を敷設し、その重みに耐えられる強度を有して、上述した落とし込み動作が可能な弾性部材であれば足りるが、例えば、鋼板や、アルミ、ステンレス等の材料が用いられる。尚、鋼板を用いた場合には、耐食性を確保するために、エポキシ系の粉体塗装や、溶融亜鉛メッキなどが施される。
【００２２】
以上に説明した構成を採用することで、落とし込みによっても接続することができると共に、安定した仮固定をすることができるラックを提供することが可能となるが、上述の実施形態のみならず、本発明の趣旨を逸脱しない範囲で、その実施形態を変更することは無論可能である。例えば、ラック１の一端３４だけでなく、他端３５に親桁導入部３１０を形成しても良いものである。また、直線状のラックのみならず、水平エルボ、水平クロス、角度ラック、ベンドラック等に採用しても良いものである。さらには、外直角水平エルボに採用しても良い。
【００２３】
具体的に説明すると、図５に示すように、本発明を適用した外直角水平エルボ８は、部材９ａａ、９ａｂが直角に接続されたＬ字部材からなる親桁９ａと、円弧状部材の親桁９ｂを具備し、上述のラック１、２と同様にして、基板９０の上下端部に折り曲げ片９１、９２を有して断面視略コ字状をなしている。基板９０の略中央部分の表面には、内方に向かって、当該基板９０の表面と平行な面を有する凸条９３が折り曲げ形成され、当該凸条９３の上下端部には、基板９０に連接する傾斜部が設けられている。親桁９の一端９４の近傍では、ラックの接続強度が確保できる長さ分、上端部の折り曲げ片９１が切り欠かれて、親桁導入部９１０が形成されている。また、折り曲げ片９１の切り欠いた端面は、ラック２の他端４４と当接して、当該ラック２の挿入を規制するストッパ９１１を構成している。
【００２４】
このストッパ９１１は、ラック１と同様にして、折り曲げ片９１と同一の長さとしても、折り曲げ片９１から傾斜部９１２を介して、当該折り曲げ片９１よりも幅を狭く構成するようにしても良い。また、親桁９の一端９４の近傍では、凸条９３０に螺子を挿通する螺子挿通孔９６が２箇所に近接して穿設される一方、その反対側の他端９５の近傍においても、凸条９３に螺子を挿通する螺子挿通孔９７が２箇所に近接して穿設されている。ここで、凸条９３０は、凸条９３と同様にして、基板９０の表面と平行な面を有し、凸条９３と絞り部９３１を介して連接され、当該凸条９３よりも幅方向（短手方向）の長さが小さく形成されて、親桁４の凹条４３に挿入し易いようになっている。
【００２５】
下端に着目すると、親桁９ａ、９ｂの下端部の折り曲げ片９２間には、所定の間隔毎に子桁５が架設されており、親桁９と子桁５とは溶接やカシメ等によって固定され、大略梯子状からなっている。ここで、外直角水平エルボ８では、円弧状の親桁９ｂを具備しているため、親桁９間は常に一定ではない。これを補うために、例えば、ハンガー５０を介して、子桁５を固定するようにしても良い。尚、子桁５の構成は、親桁２の場合と同様であるから、ここでは説明を省略する。
【図面の簡単な説明】
【００２６】
【図１】本発明に係るラックを示す図であって、接続部分を拡大した要部拡大図である。
【図２】本発明に係るラックを示す図であって、相互に接続される親桁端部を示す斜視図である。
【図３】ラックが相互に接続される状況を示す断面図であって、（ａ）は落とし込み接続前、（ｂ）は落とし込み接続後を示した図である。
【図４】図２に示した親桁の断面図であって、（ａ）は当該図のＡ−Ａ矢視図であり、（ｂ）は当該図のＢ方向の矢視図である。
【図５】本発明に係るラックの接続構造について、外垂直水平エルボに適用した場合の一例を示す図である。
【図６】第１の従来例のラックを示す図であって、相互に接続される親桁端部を示す斜視図である。
【図７】第２の従来例のラックを示す図であって、相互に接続される親桁端部を示す斜視図である。
【符号の説明】
【００２７】
１      ラック
２      ラック
３      親桁
３１    折り曲げ片
３１０  親桁導入部
３２    折り曲げ片
３３    凸条
３４    一端
４      親桁
４１    折り曲げ片
４２    折り曲げ片
４３    凹条
４４    他端
５      子桁
【図１】
2006050796.tif 000003
【図２】
2006050796.tif 000004
【図３】
2006050796.tif 000005
【図４】
2006050796.tif 000006
【図５】
2006050796.tif 000007
【図６】
2006050796.tif 000008
【図７】
2006050796.tif 000009